(57)【要約】【課題】クリップやステープル針などの紙束綴じ部材を回収する構造により、操作時における不要な散乱を回避し、かつ確実な回収を実現すること。【解決手段】操作部近傍に設けられる画像形成装置等のクリップトレイにおいて、紙束を綴じるクリップや使用済みステープル針を投入するためのクリップ投入口１０２、不用ステープル針投入口１０３と、クリップ投入口１０２、不用ステープル針投入口１０３から投入されたクリップおよびステープル針を収納する１つまたは複数のトレイ１０６と、を備える。【選択図】　　　図２
2004099284.tif 000002
【特許請求の範囲】
【請求項１】
操作部近傍に設けられる画像形成装置等のクリップトレイにおいて、
紙束を綴じるクリップや使用済みステープル針を投入するための１つまたは複数の開口部と、
前記開口部から投入された前記クリップおよびステープル針を収納する１つまたは複数の収納部と、
を備えたことを特徴とする画像形成装置等のクリップトレイ。
【請求項２】
前記収納部は、前記画像形成装置に対して着脱可能に構成されていることを特徴とする請求項１に記載の画像形成装置等のクリップトレイ。
【請求項３】
前記収納部の前面に、前記クリップおよびステープル針を取り出すための小窓を開閉自在に設けたことを特徴とする請求項１または２に記載の画像形成装置等のクリップトレイ。
【発明の詳細な説明】
【０００１】
【発明の属する技術分野】
本発明は、複写機やファクシミリ装置、イメージスキャナなどに利用され、原稿束を綴じるクリップやステープル針を回収するための画像形成装置等のクリップトレイに関する。
【０００２】
【従来の技術】
従来の複写機やファクシミリ装置において、処理対象の原稿束を綴じているクリップやステープル針などを取り外して原稿を１枚ずつセット、あるいは自動搬送装置または原稿台（ファクシミリ装置）にセットする操作が行なわれる。この場合、取り外したクリップやステープル針は、通常、操作部近傍に設けられた凹部あるいは磁石付きの凹部をなすクリップ置き場に置かれるように配慮されている。
【０００３】
また、上述したようなクリップ置き場の場合、クリップやステープル針を人間の指で回収する場合、取り出しにくく、落下したりすることがある。このため、この凹部にたまったクリップやステープル針を取り出しやすくするために、人間の手を入れる空間を設けたクリップ置き場付き器機筐体が開示されている（たとえば、特許文献１参照。）。
【０００４】
【特許文献１】
特開２００１−３４３８０６号公報
【０００５】
【発明が解決しようとする課題】
しかしながら、上記に示されるような、従来のクリップ置き場にあっては、凹部形状のクリップ置き場に置かれたクリップやステープル針を人手によって取り出す構造であるため、凹部上にためられたクリップやステープル針が複写などの操作の際に原稿を引っ掛けて落下させるなど、邪魔になったり、回収時あるいは清掃時において散乱させてしまうことが多かった。
【０００６】
本発明は、上記に鑑みてなされたものであって、クリップやステープル針などの紙束綴じ部材を回収する構造により、操作時における不要な散乱を回避し、かつ確実な回収を実現することを目的とする。
【０００７】
【課題を解決するための手段】
上記の目的を達成するために、請求項１にかかる画像形成装置等のクリップトレイにあっては、操作部近傍に設けられる画像形成装置等のクリップトレイにおいて、紙束を綴じるクリップや使用済みステープル針を投入するための１つまたは複数の開口部と、前記開口部から投入された前記クリップおよびステープル針を収納する１つまたは複数の収納部と、を備えたものである。
【０００８】
この発明によれば、画像形成装置等において、クリップや使用済みステープル針を１つまたは複数の開口部に置くことで当該クリップや使用済みステープル針が収納部に落下して蓄積される構造とすることにより、従来のように装置の上部にそのまま露出して置かれることがなくなる。
【０００９】
また、請求項２にかかる画像形成装置等のクリップトレイにあっては、前記収納部は、前記画像形成装置に対して着脱可能に構成されているものである。
【００１０】
この発明によれば、請求項１において、クリップや使用済みステープル針を開口部から導き、収納部に落下して蓄積し、この収納部を着脱可能な構造とすることにより、散乱させることなく取り出すことが可能になる。
【００１１】
また、請求項３にかかる画像形成装置等のクリップトレイにあっては、前記収納部の前面に、前記クリップおよびステープル針を取り出すための小窓を開閉自在に設けたものである。
【００１２】
この発明によれば、請求項１または２において、収納部の前面に、クリップおよびステープル針を取り出すための小窓を開閉自在に設けることにより、必要に応じて収納部にたまったクリップあるいはステープル針を取り出すことが可能になる。
【００１３】
【発明の実施の形態】
以下、本発明にかかる画像形成装置等のクリップトレイの好適な実施の形態について添付図面を参照し、詳細に説明する。なお、本発明はこの実施の形態に限定されるものではない。
【００１４】
本発明のクリップトレイ付き画像形成装置は、複写機やファクシミリ装置、イメージスキャナなどの機器において、原稿束を綴じているクリップやステープル針などを外した後に回収する機構を設け、クリップ、ステープル針の散乱を防止し、確実な回収を実現するものである。以下、具体的に説明する。
【００１５】
図１は、本発明の実施の形態にかかる画像形成装置等のクリップトレイの構成例を示す説明図であり、図２は、図１におけるクリップトレイの取り出し部分の構成を示す説明図である。なお、これらの図では複写機を例にとって説明しているが、ファクシミリ装置、イメージスキャナなどであってもよい。
【００１６】
ここでは、複写機本体１００の操作部１０１近傍（左側）にクリップ投入口１０２と、不用ステープル針投入口１０３とを設け、このクリップ投入口１０２、不用ステープル針投入口１０３の下部には、後述するように、クリップや不用ステープル針を収納する箱状のトレイ１０６が設けられている。
【００１７】
符号１０４は外装ドアであり、その一部分に図示するようなクリップ取り出し口（小窓）１０５を設ける。このクリップ取り出し口１０５は、上部を支点として開閉する構成とし、たとえばアクリル樹脂などによる透明カバー１０５ａとする。
【００１８】
クリップ投入口１０２、不用ステープル針投入口１０３は、図示するように中央部分に細長い穴が設けられ、その周囲は凹状に傾斜された形状をなし、その穴の部分にクリップやステープル針を入れることにより、トレイ１０６に落下し、蓄積される。
【００１９】
図３は、本発明の実施の形態にかかる画像形成装置等のクリップトレイにおける引く出し状態を示す説明図である。図示するように、トレイ１０６は外装ドア１０４を開くことにより、引き出し、着脱可能に構成されている。
【００２０】
このように、クリップあるいはステープル針を原稿から取り外し、クリップ投入口１０２、不用ステープル針投入口１０３に載せると、クリップあるいはステープル針は、自重で穴の部分に引き込まれトレイ１０６に落下し、収容される。収容されたクリップあるいはステープル針はクリップ取り出し口の小窓、あるいは外装ドア１０４を開き、トレイ１０６を引き出すことにより取り出すことができる。
【００２１】
なお、この実施の形態では、画像形成装置等のクリップトレイを複写機本体１００と一体構造で示したが、この他に、画像形成装置等のクリップトレイをユニット構造、すなわちユニット一体化し、装置に対してネジ締結や差し込みなどにより着脱自在な構成としてもよい。これにより、既存の複写機やファクシミリ装置に簡単に装備することができ、クリップあるいはステープル針を散乱させることなく確実に回収することが可能になる。
【００２２】
したがって、上述した実施の形態のように、クリップ投入口１０２、不用ステープル針投入口１０３の中央部分（開口部）にクリップ、取り外し後のステープル針を自重で引き込む形状とすることにより、その部分に置くだけでトレイ１０６にたまり、従来のようにクリップやステープル針が装置上に露出することがなくなる。
【００２３】
また、トレイ１０６に蓄積されたクリップやステープル針を取り出す際に、トレイ１０６が着脱可能であるため、別の容器に移しかえるといった煩わし作業がなくなる。また、トレイ１０６に蓄積されたクリップやステープル針を、小窓を介して必要に応じて必要量を取り出すことができる。
【００２４】
なお、この実施の形態では、クリップとしてゼムクリップ（商品名）、ステープル針を回収する例について述べたが、これに限定されことなく、他の綴じ部材にも同様に展開することができる。
【００２５】
【発明の効果】
以上説明したように、本発明にかかる画像形成装置等のクリップトレイ（請求項１）によれば、画像形成装置等において、クリップや使用済みステープル針を１つまたは複数の開口部に置くことで当該クリップや使用済みステープル針が収納部に落下して蓄積される構造とすることにより、従来のように装置の上部にそのまま露出して置かれることがなくなるため、操作時における不要な散乱を回避することができ、かつ確実な回収が実現する。
【００２６】
また、本発明にかかる画像形成装置等のクリップトレイ（請求項２）によれば、請求項１において、クリップや使用済みステープル針を開口部から導き、収納部に落下して蓄積し、この収納部を着脱可能な構造としたので、散乱させることなく確実に取り出すことができる。
【００２７】
また、本発明にかかる画像形成装置等のクリップトレイ（請求項３）によれば、請求項１または２において、クリップおよびステープル針を収納する収納部の前面に、クリップおよびステープル針を取り出すための小窓を開閉自在に設けるたので、必要に応じて収納部にたまったクリップあるいはステープル針を簡単に取り出すことができる。
【図面の簡単な説明】
【図１】本発明の実施の形態にかかる画像形成装置等のクリップトレイの構成例を示す説明図である。
【図２】図１における画像形成装置等のクリップトレイの取り出し部分の構成を示す説明図である。
【図３】本発明の実施の形態にかかる画像形成装置等のクリップトレイにおいてトレイ引き出し状態を示す説明図である。
【符号の説明】
１００　複写機本体
１０１　操作部
１０２　クリップ投入口
１０３　不用ステープル針投入口
１０４　外装ドア
１０５　クリップ取り出し口
１０５ａ　透明カバー
１０６　トレイ
【図１】
2004099284.tif 000003
【図２】
2004099284.tif 000004
【図３】
2004099284.tif 000005